(57)【要約】【課題】  電力系統を構成する現地機器の状態等を記録するシステムでは、自所のシステムでデータを加工して記録・表示する場合、他所のシステムから受信したデータを記録・表示する場合、自所のシステムの操作者がキーボード等の入力装置に直接データを手入力する場合等とがあり、データの管理が煩雑になっていた。【解決手段】  入力したデータに取得経路によって定まるステータスを関連付けて保存する手段と、同一のデータ項目について複数のデータが存在する場合は、一のデータを抽出するデータ抽出手段と、データ抽出手段によって抽出されたデータを表示するとともに、該データに関連付けられているステータスを識別表示する表示データ演算手段とを設ける。【選択図】      図３
2010033306.tif 000002
【特許請求の範囲】
【請求項１】
同一のデータ項目について複数の取得経路が存在し、前記複数の取得経路からそれぞれ取得したデータを選択して表示出力するデータ管理システムであって、
前記データに、取得経路によって定まるステータスを関連付けて保存する手段と、
同一のデータ項目について複数のデータが存在する場合は、一のデータを抽出するデータ抽出手段と、
該データ抽出手段によって抽出されたデータを表示するとともに、該データに関連付けられているステータスを識別表示する表示データ演算手段と、
を備えたことを特徴とするデータ管理システム。
【請求項２】
前記データ抽出手段は、前記ステータスに基づいて予め定められた優先順位でデータを抽出することを特徴とする請求項１記載のデータ管理システム。
【請求項３】
前記ステータスごとにデータの精度を示すポイント値を関連付けて保存するステータス定義テーブルを備え、
前記データ抽出手段は、前記ステータス定義テーブルを参照して、データに関連付けられているステータスのポイント値に基づいてデータを抽出することを特徴とする請求項１に記載のデータ管理システム。
【請求項４】
前記データ項目ごとの取得予定時刻から実際に取得した時刻までの時間、または、実際に取得した時刻からの経過時間によって前記ポイント値を更新する精度ポイント管理手段を備えたことを特徴とする請求項３記載のデータ管理システム。
【請求項５】
データの取得経路に係る機器の故障を検出した場合、または、前記取得予定時刻から所定時間経過してもデータを取得しなかった場合に、予め定められた推定ルールに基づいてデータを取得し、該データを用いて推定値を演算する推定値演算手段を備えたことを特徴とする請求項３記載のデータ管理システム。
【請求項６】
前記ステータスは、データを入力した操作者あるいは送信元の装置に関連付けられた権限レベルを含むことを特徴とする請求項３乃至５のいずれか一に記載のデータ管理システム。
【請求項７】
前記データ抽出手段によって抽出されたデータを該データに関連付けられているステータス、および、該データの抽出時点のポイント値と共に送信する中継処理手段を備え、前記精度ポイント管理手段は当該ポイント値を初期値として該ポイント値を更新し、前記データ抽出手段は、該精度ポイント管理手段によって更新されたポイント値に基づいてデータを抽出することを特徴とする請求項４に記載のデータ管理システム。
【請求項８】
前記データ管理システムは、経時的に更新される電気所ごとの電力供給量のデータを各日の単位時間ごとに記録し、前記電気所ごとの電力供給量を合計して単位時間ごとの総需要電力量を表示するデータ管理システムであって、
前記電力供給量は、同一のデータ項目について複数の異なる取得経路を有し、
前記データ抽出手段は、前記ステータス定義テーブルを参照して前記取得経路のステータスに関連付けられたポイント値をもとに一の取得ステータスの電力供給量を抽出し、
前記表示データ演算手段は、該抽出された電力供給量を用いて、時間単位ごとの総需要電力量を算出し、該算出された総需要電力量を表示出力すると共に、前記抽出された電力供給量のステータスのポイント値をもとに該総需要電力量算の精度を演算して表示出力することを特徴とする請求項３乃至７のいずれか一に記載のデータ管理システム。
【請求項９】
前記表示データ演算手段は、抽出された各電気所の電力供給量に対して、電力供給量のポイント値を掛け合わせて算出した値を各電気所について合計することによって、前記精度を演算することを特徴とする請求項８記載のデータ管理システム。
【発明の詳細な説明】
【技術分野】
【０００１】
本発明は、データの精度を評価して、より精度の高いデータを記録・表示できるデータ管理システムに係り、たとえば電力系統の総需要電力量などの監視を精度良く行うことのできるデータ管理システムに関する。
【背景技術】
【０００２】
従来、電力系統を構成する機器の状態や電気量などの監視データを記録するシステムでは、自所のシステムでデータを加工して記録・表示する場合、他所のシステムから受信したデータを記録・表示する場合、自所のシステムの操作者がキーボード等の入力装置に直接データを手入力する場合等があり、データの管理が煩雑になっていた。
【０００３】
また、データの欠測が生じた場合に、現地あるいは他所への確認作業などで記録データの集計に時間を要していた。
【０００４】
データ管理に関する技術として、たとえば、特許文献１では、工程ごとに設けた進捗ステータスと、進捗段階に応じて次工程を案内する情報が設定されたパターン情報とに基づいて次工程をガイダンス表示させるシステム等が提案されている。
【特許文献１】特開２０００−２５０９７３号公報
【発明の開示】
【発明が解決しようとする課題】
【０００５】
特許文献１の技術を適用すれば、データ欠測が生じたときに代替経路を操作員等の担当者にガイダンス表示して、その経路でデータを取得することはできるが、そもそも取得経路によってデータの精度（信頼度）が変る場合がある。特に、データを集中管理するような場合、担当者は、各データがどのような経路で取得されたものか、すなわちデータの出所を把握して判断しなければならないとすると、データ管理者の負担が大きくなり、判断ミスも生じ易くなるという問題が生じる。
【０００６】
また、あるデータ項目について複数の取得経路からデータを取得するような場合、従来は、先着優先あるいは後着優先など、取得タイミングによって所定のデータを選択しているが、一方は実測値、他方は推定値というような場合もあり必ずしも選択したデータの精度が高いとは限らない。このため、精度の低いデータを採用してしまう虞もある。
【０００７】
本発明は、上述のかかる事情に鑑みてなされたものであり、データを集中管理する際に管理担当者によるデータの取得経路の確認作業の負担を軽減し、また、あるデータ項目について複数の取得経路からデータを取得するような場合でも、より精度の高いデータを自動的に選択することのできるデータ管理システムを提供することを目的とする。
【課題を解決するための手段】
【０００８】
上記課題を解決するため、本発明に係わるデータ管理システムは、同一のデータ項目について複数の取得経路が存在し、複数の取得経路からそれぞれ取得したデータを選択して表示出力するデータ管理システムであって、データに、取得経路を示すステータスを関連付けて保存する手段と、同一のデータ項目について複数のデータが存在する場合は、一のデータを抽出するデータ抽出手段と、該データ抽出手段によって抽出されたデータを表示するとともに、該データに関連付けられているステータスを識別表示する表示データ演算手段と、を備えたことを特徴とする。
【０００９】
ここで、ステータスの識別表示は、データのステータスが認識できれば足りる趣旨であり、たとえば、ステータスに基づいてデータを色替え表示することのほか、ステータスに基づいてデータの背景色を替えたり、データ項目に関連付けてステータスを別に表示にするなどがある。
【００１０】
「取得経路」は、処理プログラム、装置あるいは操作者等の人を経由してデータを取得した場合に、どの処理プログラム、装置あるいは人を経由してきたかを示す経路情報を意味し、いわゆる「出所」あるいは「収集元」を含む広い概念であり、データを算出するアルゴリズムが異なる場合は、当該各アルゴリズムも含まれる。なお、装置や人は必ずしも特定する必要は無く、部門や権限レベルなど特定のカテゴリに分類できれば足りる趣旨である。
【００１１】
本発明では、データに関連付けて該データの取得経路を示すステータス情報を記録しておき、データを表示する際にそのステータス情報も表示するので、データの取得経路が明確化されるとともに、表示されたデータの精度（信頼度）を容易に把握することが可能となり、操作者の業務を効率化することができる。
【００１２】
好ましくは、データ抽出手段は、ステータスに基づいて予め定められた優先順位でデータを抽出すると良い。これにより、取得経路に基づいて精度すなわち信頼度の高いデータを抽出することができる。
【００１３】
なお、ステータスごとにデータの精度を示すポイント値（精度ポイント）を関連付けて保存するステータス定義テーブルを設け、データ抽出手段は、このステータス定義テーブルを参照して、データに関連付けられているステータスのポイント値に基づいてデータを抽出することによって、簡便な処理で自動的に精度の高いデータを抽出することができる。
【００１４】
また、本発明に係わるデータ管理システムは、周期的に起動され、データ項目ごとの取得予定時刻から実際に取得した時刻までの時間、または、実際に取得した時刻からの経過時間によって前記ポイント値を変える精度ポイント管理手段を備えたことを特徴とする。
【００１５】
本発明では、取得したデータのステータスに関連付けられたポイント値を所定の時間条件によって変更する。ステータスを付して取得したデータを保存すると共に、精度ポイント管理手段によってステータスのポイント値を時間条件を加味して独立して変更し、データ抽出手段によってこのポイント値に基づいてデータを抽出することにより、同一項目のデータが複数の取得経路から非同期で送られてくるような場合でも適切に管理でき、データ抽出時点で精度の高いデータを的確に抽出することができる。
【００１６】
また、本発明に係わるデータ管理システムは、データの取得経路に係る機器の故障を検出した場合、または、取得予定時刻から所定時間経過してもデータを取得しなかった場合に、予め定められた推定ルールに基づいてデータを取得し、該データを用いて推定値を演算する推定値演算手段を備えたことを特徴とする。
【００１７】
本発明では、本来の取得経路でデータが取得できない場合に、自動的に推定値を取得するのでデータの欠測を回避することができる。なお、機器の故障等にかかわらず常に推定記録手段を動作させて、取得経路として推定値であることを識別可能にして記録しておくことにより、それよりもポイント値の高いデータが存在しない場合に当該推定値を自動的に選択するようにすれば、故障検出などを自装置で行う必要が無く、また、所定の経路のデータを取得したか否かの監視を行う必要が無いので、システム構築が容易となる。
【００１８】
好ましくは、ステータスは、データを入力した操作者あるいは送信元の装置に関連付けられた権限レベルを含むようにすると良い。これにより、権限レベルの高いデータを高精度（高信頼度）あるいは重要度の高いデータとして管理可能となる。
【００１９】
また、データ抽出手段によって抽出されたデータを該データに関連付けられているステータス、および、該データの抽出時点のポイント値と共に送信する中継処理手段を設けることによって、複数の装置等を経由してデータが送られる場合でも、そのデータの取得経路ないし精度を確実に管理することができる。
【００２０】
また、本発明に係わるデータ管理システムは、経時的に更新される電気所ごとの電力供給量のデータを各日の単位時間ごとに記録し、電気所ごとの電力供給量を合計して単位時間ごとの総需要電力量を表示するデータ管理システムであって、電力供給量は、同一のデータ項目について複数の異なる取得経路を有し、データ抽出手段は、ステータス定義テーブルを参照して取得経路のステータスに関連付けられたポイント値をもとに一のステータスの電力供給量を抽出し、表示データ演算手段は、該抽出された電力供給量を用いて、時間単位ごとの総需要電力量を算出し、該算出された総需要電力量を表示出力すると共に、抽出された電力供給量のステータスのポイント値をもとに該総需要電力量の精度を演算して表示出力することを特徴とする。
【００２１】
本発明では、データ管理システムを電力系統の監視に用いることによって総需要電力量算出のためのより精度の高い各電気所の電力供給量のデータを自動的に抽出し、この抽出した電力供給量を用いて、総需要電力量とその精度を算出することができる。また、時間の経過により精度が向上する集計値（総需要電力量）について、参照時点における精度を客観的に把握することができるので、操作者は集計値の活用に際して迅速な判断が可能となる。
【００２２】
好ましくは、表示データ演算手段は、抽出された各電気所の電力供給量に対して、電力供給量のポイント値を掛け合わせて算出した値を各電気所について合計することによって、精度を演算すると良い。電力供給量の大きさに比例してそのステータスの重みが大きくなるので、より実効的な総需用電力量の精度を得ることができる。
【発明の効果】
【００２３】
本発明によれば、数値データに対応したステータス情報が表示されるので、データの誤認を防止することができる。
【００２４】
また、これまでデータの収集元を確認するために行っていた業務が不要となるので、担当者の負担を軽減するとともに、業務の所要時間を短縮することができる。
【００２５】
さらに、あるデータ項目について複数の取得経路からデータを取得するような場合には、より精度の高いデータを選択することが可能となる。
【発明を実施するための最良の形態】
【００２６】
以下、本発明の第１の実施の形態について、中央給電指令所にデータ管理システムを設けて、発電所や変電所等の電気所の電力量を集中管理する場合を例にして説明する。
【００２７】
図１は、本実施形態のデータ管理システム１によるデータの表示例を示す。まず、図１を用いて、中央給電指令所におけるデータ管理の概要を説明する。
【００２８】
本例では、電気所における時間単位の電力量のデータを表示する。それぞれのデータはデータの収集元ないし取得経路によって定まるステータス情報とともに表示されており、操作者はデータの出所を容易に把握することができる。
【００２９】
中央給電指令所では、まず発電計画を作成し、発電機ごとに時間単位のスケジュールデータ（計画値）をデータ管理システム１に登録する。現地発電所ではこの計画値に基づいて発電を行い、電力量の実績値データを中央給電指令所に送信する。中央給電指令所のデータ管理システム１ではこの実績値を受信すると、計画値を実績値に置き換えて表示する。また、中央給電指令所では、他社管轄の電力系統のデータも収集して表示させる。
【００３０】
電力量の実績値データとしては、現地発電所の電力計で計測した電力量であって運用者が承認した電力量データを受信することができるが、６時間ごとや１日１回といった長いサイクルで送信されるのが通常であるため、電力系統運用の安全性確保等のため、もっと早い段階でデータが必要となる場合がある。このため、現地発電所の電力計テレメータ（ＴＭ）として、電気データを直接、データ管理システム１に取り込み、速報値として電力量の実績値データを作成する。
【００３１】
図１の「ステータスの凡例」において、「Ａ」は、現地発電所の電力計で計測した電力量データである。かかるデータは、該発電機を管理するシステムの運用者による承認も得た精度（信頼度）の高い値となっている。
【００３２】
「Ｂ」は、現地発電所の電力計ＴＭとして、電力の瞬時値（Ｗ）または電圧値，電流値などの電気データを直接データ管理システム１に取り込んで作成した電力量データである。
【００３３】
本実施形態における電力量表示の初期状態には、時間単位の計画値である「Ｄ：スケジュールデータ」のデータ（数値）が表示されており、時間の経過により電力量の速報値であるステータス「Ｂ」の受信データ（Ｗ値）のデータを取得すると、ステータス「Ｄ」のデータをステータス「Ｂ」のデータに更新する。さらにステータス「Ａ」の受信データ（Ｗｈ値）のデータを取得すると、ステータス「Ｄ」またはステータス「Ｂ」のデータをステータス「Ａ」のデータに更新する。
電力量データの更新とともに、この「ステータス」の表示も更新する。
【００３４】
また、現地発電所に電力計やＣＤＴ，ＴＣ等が設置されていない場合や、かかる機器の不具合により、データが取得できない欠測という事態も発生する。詳細は後述するが、本例では他の電気所における計測値を用いて、「Ｃ：状態推定データ（ブランチ，差引き等）」「Ｆ：代替地点からの受信データ」を算出して記録・表示する。
【００３５】
さらに、上記のデータの欠測が発生した現地発電所であって、他の電気所の計測値から算出できない場合や、記録したステータス「Ａ」や「Ｂ」のデータに修正が必要となった場合には、操作者等がキーボード等から直接手入力を行うこともある。本例では、かかるデータをステータス「Ｅ：手入力した修正データ」として記録・表示する。
【００３６】
これにより、データ欠測等により自所で手入力したような場合でも、かかるデータのステータスが「Ｅ」と表示されるので、操作者は一目で判別することができる。なお、ステータスの表示は、データに付随してステータスの記号を表示しても良いし、データ色をステータスに応じて変更するなどの方法で識別表示するようにしても良い。
【００３７】
また、上記の通り、異なる経路（算出方法）で取得したデータを複数保持することになるので、欠測が生じたような場合にも、データの相互補完をすることができる。なお、相互補完した場合には、算出方法の異なるデータが混在することになるが、ステータスの表示で容易に判別することができる。
【００３８】
次に、図２を用いて、電力系統の総需要データを収集する場合における複数の発電機の電力量データの「ステータス」の推移手順を説明する。ここでは、ステータス情報のみを示し、電力量の数値データの説明は省略する。
【００３９】
また、複数の発電所等の電力量の横軸合計値である時間単位の電力総需要について、それぞれの電力量データに付随するステータス情報に基づいて、その時点のデータの精度を判定するが、詳細については後述する。
【００４０】
本例における総需要電力量は、各日の１時間単位に記録されることとし、ここでは２４時間のうち１時から４時までを例に説明する。
【００４１】
電力系統における総需要は、自社発電機，他社発電機，その他から算出する。また、発電機には原子力発電，火力発電，水力発電，風力発電等があり、対象とする発電所等との取り決め等により受信するデータの種類及びタイミングが異なる。
【００４２】
図２において、「計画段階」ではすべて計画値となっている。計画値は、前日までに操作者等により手入力がなされる。この段階における総需要電力量の数値の精度判定では、すべてスケジュール値のみなので、精度は「低」と判定される。
【００４３】
「２時の段階」になると、現地発電所との取り決め等により、Ｗ値（瞬時値平均）の常時伝送を受けることができる自社発電機の「Ａ原子力発電」「Ａ火力発電」、他社発電機の「Ａ火力発電」については、Ｗ値（瞬時値平均）に基づき電力量（Ｗｈ）を算出して、速報値としての実績値データを作成する。これらの現地発電機の値では、２時までの時間帯（1時・２時）におけるスケジュールデータ（Ｄ）が、受信データ（Ｗ値：瞬時値平均）（Ｂ）に更新される。
【００４４】
この段階における総需要電力量の数値の精度判定では、１時・２時における複数の発電機のデータが、スケジュール値から受信データ（Ｂ）の値に更新されているので、精度は「中」と判定される。
【００４５】
「６時の段階」になると、自社発電機の「Ａ原子力発電」「Ａ火力発電」、他社発電機の「Ａ火力発電」は、１〜４時まですべて受信データ（Ｗ値：瞬時値平均）（Ｂ）の値に更新されている。さらに自社発電機の「Ｂ水力発電」において、現地発電所の電力計（ＴＭ）が計測した値である「Ａ：受信データ（Ｗｈ値：パルスカウンタ）」を受信する。自社発電機の「Ｂ水力発電」では、４時までの時間帯（1〜４時）におけるスケジュールデータ（Ｄ）が、受信データ（Ｗｈ値：パルスカウンタ）（Ａ）に更新される。
【００４６】
この段階における総需要電力量の数値の精度判定では、複数の発電機のデータが、スケジュール値から受信データ（Ｂ）や受信データ（Ａ）の値に更新されているので、精度は「中」と判定される。
【００４７】
「２４時の段階」になると、すべての現地発電所から、電力計（ＴＭ）が計測した値である「Ａ：受信データ（Ｗｈ値：パルスカウンタ）」を受信しているので、スケジュールデータ（Ｄ）や受信データ（Ｗ値：瞬時値平均）（Ｂ）は、より精度の高い受信データ（Ｗｈ値：パルスカウンタ）（Ａ）に更新される。
【００４８】
なお、他所発電所の「Ｂ水力発電」における「３時」のデータについて、現地から修正依頼により手入力修正がされたので、受信データ（Ｗｈ値：パルスカウンタ）（Ａ）の値が手入力した修正データ（Ｅ）に更新される。
【００４９】
この段階における総需要電力量の数値の精度判定では、すべての発電機のデータが、精度の高い受信データ（Ａ）または手入力した修正データ（Ｅ）の値に更新されているので、精度は「高」と判定される。
【００５０】
以上のように、時間の経過により内容が変更されるデータであっても、表示したタイミングのデータの状態を容易に把握することができる。
【００５１】
図３は、本実施形態のデータ管理システム１およびネットワークを介して繋がる発電所装置の機能ブロック図である。
【００５２】
本実施形態のデータ管理システム１は、給電ネットワーク２を介して、発電所Ａ（４Ａ）の制御卓４０Ａ，発電所Ｂ（４Ｂ）の制御卓４０Ｂと接続し、各制御卓４０Ａ，４０Ｂの入力部４４Ａ，４４Ｂを介して承認入力された電力量データ（Ｗｈ値）を受信する。また、データ管理システム１は、発電所Ａ（４Ａ）に備える発電機７Ａを制御する制御装置６Ａ，発電所Ｂ（４Ｂ）に備える発電機７Ｂを制御する制御装置６Ｂ等とも接続し、各制御装置６Ａ，６Ｂが収集する発電機出力の電気データ（Ｗ値）を受信する。また、発電機７Ａと発電機７Ｂは、それぞれ変圧器８Ａ，８Ｂを介して送電系統９と接続されている。
なお、システム構成はこれに限定されず、発電所の制御卓４０Ａ，４０ＢからＣＤＴ装置を経由してデータ管理システム１へデータを送信しても良いし、制御装置６Ａ，６Ｂのデータを遠方監視制御装置（ＴＣ）を介して同システム１へ送信するようにしても良い。
【００５３】
一方、データ管理システム１は、給電ネットワーク２と接続する送受信部１１，電力系統の監視制御データの管理に関する演算処理を行う中央演算処理部１２，電力系統の監視制御に必要な情報を保持する記憶部１３，データを入力するキーボード等の入力部１４およびデータを表示する表示装置やプリンタ等の出力部１５から構成されている。
【００５４】
中央演算処理部１２は、送受信部１１との間でデータの受け渡しを行う送受信処理手段１２１，入力部１４または出力部１５とデータの受け渡しを行う入出力処理手段１２２，取得したデータに取得経路によって定まるステータスを付加して記録するデータ記録手段１２３，データの欠測があった場合に系統の接続状態に応じて推定値を算出して記録する推定値演算手段１２４，記録されているデータに関連付けられているステータスに基づいて所定の優先順位でデータを抽出するデータ抽出手段１２５，データ抽出手段１２５によって抽出されたデータを用いて画面表示のためのデータを生成し、ステータスと共に表示出力する表示データ演算手段１２６，表示データ演算手段１２６で生成されたデータの精度を判定する精度判定手段１２７，等を備えている。
【００５５】
記憶部１３は、各種の経路から取得した発電量データを記録する実績記録ＤＢ１３１，記録した電力量データのうち最新の数値を表示する表示テーブル１３２，表示テーブルにおいて表示される取得経路を示すステータスを定義するステータス定義テーブル１３３，時間単位に集計された電力量データの精度の判定に用いる精度判定テーブル１３４等を有している。
【００５６】
次に、上記の構成を有するデータ管理システム１の動作を説明する。
（データ取得処理）
データ管理システム１に入力されたデータは、データ記録手段１２３によって、取得経路に対応するステータスが付されて実績記録ＤＢ１３１に保存される。
【００５７】
図４は、データ記録手段１２３の処理手順を示すフローチャートである。データ記録手段１２３は、入出力処理手段１２２や、送受信処理手段１２１、あるいは、推定値演算手段１２４から入力データを受け付けると、各手段から渡されるデータ項目（データＩＤ）と取得経路をもとに、実績記録ＤＢ１３１の取得経路に対応するステータスのフィードに保存する。
【００５８】
図２の各発電機の電力量取得事例ではデータ記録手段１２３によって以下のように処理される。
（１）まず、操作員は、データ管理ステム１の入力部１４から、スケジュールデータ入力画面を通して発電計画のスケジュールデータを入力する。入力されたデータは、入出力処理手段１２２を介してデータ記録手段１２３に渡され、データ記録手段１２３によって、実績記録ＤＢ１３１のステータス「Ｄ」の計画値欄に保存する（Ｓ１０３）。
【００５９】
（２）発電計画は、各発電所へ送信され制御卓４０Ａ，４０Ｂの送受信部４１Ａ，４１Ｂを経由して、送受信処理手段４２１Ａ，４２１Ｂによって受信処理され、記憶部４３Ａ，４３Ｂにそれぞれ保存される。各発電所４Ａ，４Ｂでは、制御装置６Ａ，６Ｂに対して、スケジュール値を設定して、発電機７Ａ，７Ｂを起動する。この発電機の出力値は、制御装置６Ａ，６Ｂに入力され、制御装置６Ａ，６Ｂから給電ネットワーク２を介してデータ管理システム１へ電気データ（Ｗ値）として送信される。データ管理システム１のデータ記録手段１２３は、このデータを受信すると、伝送データの送信元情報からたとえば制御装置６Ａからの電気データ（Ｗ値）であることを検知すると（Ｓ１０６）、これを記録する一方、このＷ値を用いて算出した電力量データを実績記録ＤＢ１３１のステータス「Ｂ」の速報値欄に保存する（Ｓ１０７）。
【００６０】
（３）また、各発電所４Ａ，４Ｂの制御卓４０Ａ，４０Ｂでは、制御装置６Ａ，６Ｂからの電気データを受けて電力量を算出し、この電力量データを各制御卓の出力部４５Ａ，４５Ｂへそれぞれ表示する。これを発電所にいる承認者が入力部４４Ａ，４４Ｂから承認入力すると、データ処理手段４２３Ａ，４２３Ｂによって記録ＤＢ４３１Ａ，４３１Ｂに承認された電力量データ（Ｗｈ値）として保存される。このデータは、承認時、あるいは、決められた時刻になるとデータ管理システム１へ送信される。
【００６１】
データ管理システム１のデータ記録手段１２３は、各制御卓４０Ａ，４０Ｂから送られている電力量データ（Ｗｈ値）を受信すると、受信データの送信元情報から承認された電力量データであることを判定して（Ｓ１０８）、実績記録ＤＢ１３１のステータス「Ａ」の実績値欄へ保存する（Ｓ１０９）。通常、この承認データの送信は、単位時間ごとに行われる。
【００６２】
（４）中央給電指令所の操作員は、機器の故障その他何らかの原因でデータに欠測があった場合、あるいは明らかな誤表示が有るような場合には、現地発電所へ問合せをして正しいデータを確認し、入力部１４から入力する。このデータは、データ記録手段１２３によって、実績記録ＤＢ１３１のステータス「Ｅ」の修正値欄に保存される（Ｓ１０５）。
【００６３】
図５は、実績記録ＤＢ１３１の構成例である。本例の実績記録ＤＢ１３１では、発電機Ａ（７Ａ）についての「○月○日」の実績記録の状態を示す。なお、保存データはこれに限定されず、必要により、入力あるいは受信したときの時刻なども保存する。
【００６４】
これらの項目はステータス情報（図１３）に対応し、基本的に図中、右方に向けて時間の経過と共に順次取得するデータを示し、精度ポイントも高くなっている。
【００６５】
（推定値記録処理）
推定値演算手段１２４によって推定値の記録処理が実行される。図６は、推定値演算手段１２４の処理手順を示すフローチャートである。図６において、推定値演算手段１２４は、後述するデータ抽出手段１２５によるデータ欠測検出時に、あるいは計量器が設置されていない箇所については入力部１４からの事前設定によりデータ取得時に起動される。
【００６６】
推定値演算手段１２４は、起動されるとまず、データの欠測があるか否かを判定し（Ｓ２０１）、欠測がある場合は、推定ルールテーブル１３６を参照して、欠測したデータ項目が同テーブル１３６に存在するか否かを判定する（Ｓ２０２）。この判定の結果、存在しない場合は（Ｓ２０２で「Ｎｏ」）、推定不能の通知を行い（Ｓ２０６）、存在する場合は（Ｓ２０２で「Ｙｅｓ」）、そのルールについて他のデータ項目の欠測の有無について判定し（Ｓ２０３）、欠測が無い場合は（Ｓ２０３で「Ｙｅｓ」）、欠測データを推定ルールに基づいて演算して推定値を算出する（Ｓ２０４）。そして、その推定値とデータ項目ＩＤとをデータ記録手段１２３へ渡す（Ｓ２０５）。データ記録手段１２３は、これらのデータを受け取ると、図４の手順に従って、実績記録ＤＢ１３１のステータス「Ｃ」の推定値欄に保存する（Ｓ１１１）。
【００６７】
以下、図７の系統状態における推定値記録処理について説明する。
図７では、状態推定データ（ブランチ、差引き等）を算出する処理を説明する。推定値演算手段１２４は、電気所に計量器が設置されていない箇所については、電力系統の接続状態等に基づいて、その電気所の電力量の推定値を算出する。図７において、Ａ電気所には計量器が設置されていないが、接続するＢ電気所・Ｃ電気所には計量器が設置されているとする。Ａ電気所からの電気量，Ｂ電気所からの電気量，Ｃ電気所からの電気量をそれぞれデータ項目００１，００５，００８とすると、図９に例示する推定ルールテーブルのルールＩＤ１より、データ項目００１のデータは、データ項目００８―データ項目００５を計算することによって求めることができる。
【００６８】
したがって、推定値演算手段１２４は、接続するＣ電気所（データ項目００８）の値である「１００」からＢ電気所（データ項目００５）の値である「３０」を減じることで、Ａ電気所（データ項目００１）の値７０を算出し、これを推定値とする。
【００６９】
また、図８は、電気所に設置した計量器の故障等があった場合の推定値記録処理の説明図である。常時はＤ電気所（データ項目０１０）の値を採用しているが、計量器の故障等によりデータ欠測が発生した場合は、推定ルールテーブル１３６のルールＩＤ２より送電線相手端であるＥ電気所（データ項目０１１）の計測した電力量を取得する。
【００７０】
（データ抽出処理）
データ抽出処理手段１２５は、データ記録手段１２３の起動の都度、あるいは周期的に起動され、以下の手順によって、実績記録ＤＢ１３１に保存されているデータの中から表示データ演算手段１２６の処理で用いるデータを抽出して、表示テーブル１３２を作成する。
【００７１】
図１０は、データ抽出処理手段１２５の処理手順を示すフローチャートである。データ抽出処理手段１２５は起動されると、全ての対象のデータ項目に対して以下の処理を繰り返す（Ｓ３０１ａ，Ｓ３０１ｂ）。まず実績記録ＤＢ１３１の最高精度ポイントのステータスのフィールドにアクセスして（Ｓ３０２）、そのフィールドにデータが存在するか否かを判定する。データの有無は、たとえば、イニシャライズ時に通常のデータ値として存在しない特定のコード（たとえばＮＵＬＬ）を書き込んでおくとか、０以上の値しかとらないときにマイナス値を入れておくことで判定可能である。
【００７２】
そして、そのフィールドにデータが存在する場合は（Ｓ３０３で「Ｙｅｓ」）、当該フィールドのデータおよびステータスを表示テーブル１３２へ保存する（Ｓ３０４）。
【００７３】
図１１は、表示テーブル１３２の構成例である。本例の表示テーブル１３２では、電力系統における「○月○日」の時間単位の電力量のデータを表示する。ここで表示される電力量の数値は、実績記録ＤＢ１３１に記録されたデータのうち、もっとも時間が経過したデータであって、精度の高いデータを表示する。
【００７４】
一方、ステップＳ３０３で、そのフィールドにデータが存在しない場合は、最終フィールドでなければ（Ｓ３０５で「Ｎｏ」）、次に高い精度ポイントのフィールドにアクセスして（Ｓ３０７）、ステップＳ３０３以降の処理を繰り返す。
【００７５】
ステップＳ３０５で最終フィールドの場合は、データ欠測処理として、たとえば推定値演算手段１２４を起動する（Ｓ３０６）。
以上の処理を全ての対象のデータ項目について実行した後、表示データ演算手段１２６を起動する。
【００７６】
（データ表示処理）
表示データ演算手段１２６は、データ抽出手段１２５によるデータ抽出処理の完了後に起動され、表示テーブル１３２を参照して、各データ項目について以下の手順によって所定のデータを抽出して出力部１５へ表示出力する。
【００７７】
図１２は、表示データ演算手段１２６の処理手順を示すフローチャートである。表示データ演算手段１２６は起動されると、まず現在時刻を抽出して（Ｓ４０１）、次に表示テーブル１３２にアクセスして現在時刻に対応するデータ項目、すなわち各電気所の時間帯ごとの電力供給量のデータを抽出する（Ｓ４０２）。そして、抽出したデータの合計を計算して、表示テーブル１３２の総需要電力量欄に保存する（Ｓ４０３）。次に、ステータス定義テーブル１３３を参照して抽出したデータに対応するステータスの精度ポイントの平均値を算出して、当該平均値を総需要電力量に関連付けて保存する（Ｓ４０４）。
【００７８】
図１３は、ステータス定義テーブル１３３の構成例である。本例では、電力量として表示される数値データのステータスを、計画値，速報値，実績値，推定値，修正値の５つとする。また、ステータス定義テーブル１３３には、それぞれのステータスにあるデータの精度（信頼度）を示す「精度ポイント」を定義して、時間単位の集計値（総需要電力量）の精度の判定等に用いる。
【００７９】
ステップＳ４０４の後、精度判定手段１２７から、この算出した精度ポイント平均値に該当する精度を取得して（Ｓ４０５）、該当する時間帯のデータ項目のデータとステータス、および、総需要電力量と精度ポイント平均値を出力部１５へ表示出力する。
【００８０】
図１４は、精度判定テーブル１３４の構成例である。本例では、表示された時間単位の電力量の精度を「高・中・低」の３段階に規定する。
【００８１】
ここでの「精度」の判定処理を、図１１の表示テーブル１３２の構成例に基づいて説明する。
【００８２】
精度判定手段１２５は、時間単位で表示されたデータのステータス情報に基づいて、ステータス定義テーブル１３３（図１３）から対応する「精度ポイント」の値を抽出して、平均値を算出する。算出された平均値を、精度判定テーブル１３４に当てはめて、それぞれの時間帯の精度を判定する。
【００８３】
なお、ここでは電力量の数値に応じて「精度ポイント」を調整することで、さらに有効な値とすることもできる。たとえば、精度判定手段１２７により、判定時点における時間単位における電力量の合計から、それぞれの現地発電所に表示された電力量の構成比を算出する。次に算出した値にそれぞれのステータスに対応した精度ポイントを乗じ、得た値を合計して精度判定テーブル１３４に基づいて判定を行うように設定する。これにより、電力量の多い発電所の比重が大きくなるので、さらに実態に応じた精度の判定を行うことができる。
【００８４】
図１５には、本実施形態のデータ管理システム１を採用した「受発電実績記録」の表示画面の例を示す。時間帯ごとの各発電機の電力量とステータスが表示されている。本例では、１時間ごとに加えて３０分ごとに表示することも可能としている。
【００８５】
以上、本実施の形態によれば、データとともに取得経路によって定まるステータスを表示するので、操作者によるデータの誤認を防止することができる。また、時間経過に伴いデータが置き換わる項目であっても、データのステータスを容易に把握することができるので、操作員のデータの把握ミスを低減し、また確認のための作業負担を軽減して作業効率を向上させることができる。
【００８６】
［第２の実施形態］
次に、本発明のデータ管理システム１にかかる第２の実施形態について説明する。
本実施形態では、記憶部１３にデータの記録後に修正を行う操作者の情報を保持する操作者ＤＢ１３５、実績記録ＤＢ１３１には修正履歴テーブルを備える点で、第１の実施形態と異なる。
【００８７】
図１６には、本実施形態における操作者ＤＢ１３５の構成例を示す。
操作者ＤＢ１３５では、系統作業にかかわる操作者の氏名，所属，操作者ＩＤ，修正者権限等の情報を保持する。修正者権限とは、修正者の行うことができる職務上の権限を意味し、本例では「記録作成者」「記録承認者」「記録管理者」の順に権限が大きくなる。なお、図示していないが、これらの権限に相当するポイント値（権限レベル）を割り付けておくものとする。
【００８８】
ステータス定義テーブル１３３では、ステータスに対応した精度ポイントを設定して、精度判定手段１２７により、それぞれの時間単位の数値の精度を判定するが、図１７に示す本実施形態のステータス定義テーブル１３３では、手入力による修正である修正値の精度ポイントを、修正者の権限に応じて異なるものとする。
【００８９】
図１８には、実績記録ＤＢ１３１に備える修正履歴テーブルの構成例を示す。本例では、修正を行った時間，操作者の所属，氏名，修正者権限，修正の対象となったデータの発電機名，日付，時間帯等の情報を記録する。なお、操作者の識別はログイン時に入力される操作者ＩＤに基づいて行う。
【００９０】
図１９には、本実施形態の表示テーブル１３２の構成例を示す。本例では、手入力による修正があった数値については、修正を行った操作者の氏名および修正者権限の情報が、ステータス情報とともに表示されるので、修正した操作者の責任を明確にすることができる。これにより、データの手入力において入力ミスがあった場合に、データの入力者が不明であるため、責任の所在が不明確となるといった事態を回避することができる。
【００９１】
図２０には、本実施形態において入力されるデータの構成例を示す。それぞれのデータには、データの出所である経路、修正・推定等のデータの属性（ステータス）、日時等の情報が含まれる。なお、ここでは業務執行レベルの情報を含めることで、それぞれのデータを修正することができる操作者や端末を制限するように設定することもできる。
【００９２】
また、本実施形態のデータ管理システム１では、データの修正があった後の、再度の修正については、修正者権限に応じて制限を加えることとする。
【００９３】
具体的には、たとえば「記録作成者」がデータの修正を行い、「記録承認者」に記録の正を連絡した後に「記録承認者」がデータの不備を発見して修正を行った場合には、その後に「記録作成者」が新たなデータの不備を発見してデータ修正を試みようとしても、より権限の高い「記録承認者」による修正が行われているので、「記録作成者」による修正は制限される。
【００９４】
すなわち、「記録承認者」による修正の後、「記録作成者」が新たに修正を行うためには、「記録承認者」への連絡を必要とする。これにより、データを修正することができる操作者が明確となり、データの管理を容易にすることができる。
【００９５】
上記は、中央給電所にデータ管理システム１が設置される場合の例について説明したが、制御所や営業所等に設置することもできる。
【００９６】
［第３の実施形態］
次に、第３の実施の形態として、監視制御情報を中継する制御中継所と上位制御所に本データ管理システムを適用した例を説明する。図２１は、本実施の形態におけるデータ管理システム１ａ，１ｂおよび通信回線を介して接続する電気所装置（ＴＣ子局）の機能ブロック図である。
【００９７】
以下、図３の第１の実施の形態のデータ管理システム１との違いを中心に説明する。
制御所のデータ管理システム１ａの実績記録ＤＢ１３１ａは、図２２に示すように、データ項目ごとに、取得したデータ、取得時刻、ステータス、および精度ポイントが関連付けられて保存されている。なお、必要により経路情報などを含めるようにしても良い。また、データ管理システム１ａの中央演算処理部１２には、この実績記録ＤＢ１３１ａのポイント値を精度ルールテーブル１３７に基づいて更新する精度ポイント管理手段１２８を追加し、推定値演算手段１２４を削除している。なお、第１の実施の形態では、推定値演算手段１２４は、データ抽出手段１２５の処理においてデータ欠測を検出したときに起動することとしていたが、本実施の形態では、本機能をデータ記録手段１２３aに持たせ、推定ルールテーブル１３６に従って常時代替経路を経由してデータを入力し、実績記録ＤＢ１３１に保存する。
【００９８】
また、制御中継所のデータ管理システム１ｂは、データ管理システム１ａの構成に対してさらにデータを中継する中継処理手段１２９追加し、さらに電気所のＴＣ子局装置に９２ａ〜９２ｎと接続するためのＴＣ親局装置９１を設けている。
【００９９】
本実施の形態では、制御中継所のデータ管理システム１ｂから制御所のデータ管理システム１ａに対しては、図２３に示す伝送フォーマットでデータを送信する。すなわち、データ項目ＩＤ，データ値，ステータス，精度ポイントを含んでおり、必要により、データを入力した人あるいは装置の権限レベルや各データの取得経路を含むようにしても良い。
【０１００】
まず、制御所のデータ管理システム１ａの動作を説明する。
（データ取得処理）
図２４は、本実施の形態によるデータ記録手段１２３ａの処理手順を示すフローチャートである。
【０１０１】
入力したデータからデータ項目を特定し（Ｓ５０１）、データのステータスを取得すると（Ｓ５０２）、実績記録ＤＢ１３１ａの当該データ項目について、当該ステータス欄が存在するか否かを判定し（Ｓ５０３）、当該ステータス欄が存在しない場合は新たにスタータス欄を追加する（Ｓ５０４）。具体的には、各データ項目からチェーンで繋がっているステータス欄の次アドレスを辿って、順次、次のステータス欄にアクセスし、次アドレスがＮＵＬＬになっているものを検出し、その次アドレスに追加するステータス欄の先頭アドレスをセットする。
【０１０２】
一方、ステータス欄が存在する場合は（Ｓ５０３で「Ｙｅｓ」）、既に記録されているデータと新たに取得したデータの精度ポイントを比較する（Ｓ５０５）。このとき、入力したデータが制御中継所から送られてきた中継データの場合は、中継データに含まれている精度ポイントを初期値として使用し、制御所で直接入力したデータについては、ステータス定義テーブル１３３に設定されているポイント値を初期値として使用し、実績記録ＤＢ１３１ａにその値をセットする。すなわち、取得したデータに精度ポイントが含まれている場合は、その値を使い、含まれていない場合は、ステータス定義テーブルのデータを使う。
【０１０３】
ステップＳ５０５の比較の結果、新たに取得したデータの精度ポイントの方が大きい場合は（Ｓ５０６で「Ｙｅｓ」）、新たに取得したデータに書き換える（Ｓ５０７）。一方、ステップＳ５０６で新たに取得したデータの精度ポイントの方が小さければ、そのデータを廃棄する（Ｓ５０８）。
【０１０４】
（精度ポイント管理処理）
次に、図２５を用いて精度ポイント管理手段１２８の処理手順を説明する。精度ポイント管理手段１２８は起動されると、実績記録ＤＢ１３１ａにアクセスして（Ｓ６０１）、全データ項目について以下の処理を繰り返す（Ｓ６０２ａ，Ｓ６０２ｂ）。まず、データ項目に対応するステータスを選択すると共に（Ｓ６０３）、精度ルールテーブル１３７にアクセスして当該ステータスのルールを抽出する（Ｓ６０４）。そして、抽出したルールに基づいて実績記録ＤＢ１３１ａの当該データ項目の精度ポイントを更新する（Ｓ６０５）。
【０１０５】
図２６は、精度ルールテーブルのデータ構成例である。ステータスごとに取得時点からの経過時間、取得予定時刻と実際に取得した時刻との差、権限レベルなど、所定の減算要素に基づいて、精度ポイント初期値の減算値が算出されるようになっている。
【０１０６】
たとえば、図２６の実績値について、その実績値を取得した時点からの経過時間（ｘ）が１０分の場合は、０．５×１０（分）＝５ポイント精度初期値から減算されることになる。
【０１０７】
このように、精度ポイント管理手段１２８を他の手段とは独立して周期的に起動し、実績記録ＤＢ１３１ａの精度ポイントを更新する一方、データ記録手段１２３ａは、実績記録ＤＢ１３１ａへの記録時点の精度ポイントの比較により精度ポイントが高いデータを書き込むことによって、常に最高精度のデータを記録することができる。これにより、たとえば、同一データ項目の実績値に対して、高い精度ポイントを割り当てられた権限レベルの高い承認者が入力したデータと、低い精度ポイントを割り当てられた権限レベルの低い承認者が承認したデータの両者が存在した場合、ほぼ同じタイミングならば権限レベルの高い承認者が入力したデータを採用し、時間経過して入力された承認データについては、権限レベルの低い承認者のデータでも最新の値を採用することが可能となり、このような複雑な判定処理を簡便なアルゴリズムで実現することができる。なお、この権限レベルは、入力部１４から入力する際の承認者のＩＤや伝送データの送信元の装置ＩＤに関連付けて予め登録しておくことによって、データの取得経路で入力されたＩＤによりそれに対応する権限レベルを取得することができる。
【０１０８】
（データ抽出処理）
本実施の形態のデータ抽出手段１２５の機能は、基本的には、第１の実施の形態と同様である。なお、本実施の形態では、実績記録ＤＢ１３１ａの精度ポイントを直接参照して最高の精度ポイントを有するデータを抽出する。
【０１０９】
このように、上述の精度ポイント管理手段１２８と、実績記録ＤＢ１３１ａの抽出時点の精度ポイントによって最高精度のデータを抽出するデータ抽出手段１２５との連動によって、その時点の最も精度の高いデータを用いて以降の演算処理を行うことができる。なお、実績記録ＤＢ１３１ａでは、取得時点で精度ポイントの高いデータとそのステータスのみを記録するようにしても良いが、ステータスによって精度ポイントの低下度合いが異なるような場合もあり、このような場合は、全てのステータスと各ステータスの精度ポイントを保存しておくようにすると良い。
【０１１０】
（データ表示処理）
表示データ演算手段１２６の機能は、第１の実施の形態と同様であるが、この機能は、本質的には、本データ管理システム１が設置される場所のアプリケーションによって異なる。したがって、制御所に設置された場合は、たとえば所管内の電力量等のデータを表示させることになる。なお、本実施の形態のデータ管理システムは、いわゆるテレメータ（ＴＭ）の演算みでなく、たとえば権限レベル（すなわち精度ポイント）の高い装置を経由して取得した状態データを採用し監視制御するなど機器の状態データ（ＳＶ）についても適用することができる。
【０１１１】
以上、制御所のデータ管理システム１ａの動作について説明したが、上記は制御中継所のデータ管理システム１ｂも同様である。
【０１１２】
次に、図２７を用いて制御中継所のデータ管理システム１ｂの中継処理機能について説明する。
（データ中継処理）
データ管理システム１ｂの中継処理手段１２９は、送信タイミングが到来すると（Ｓ７０１）、実績記録ＤＢ１３１ｂの中で送信対象のデータ項目ごとに最も精度ポイントの高いデータを抽出する（Ｓ７０２）。そして、当該データ項目のデータ，ステータス，精度ポイント，その他必要により経路情報等を送信する（Ｓ７０３）。
【０１１３】
以上、本実施の形態によれば、同一のデータ項目について複数の取得経路からデータを入力し、精度ポイントによって使用するデータを決めるので、故障時などのバックアップ処理を簡単かつ迅速に行うことができる。特に高帯域化したネットワーク環境においては効果が大きい。
【０１１４】
また、受け渡しデータにステータスを含め、受信側でそのステータスを記録していない場合は、自動的に登録して管理するので、特にデータを集中管理するようなデータ管理システムでは、簡便な処理でメモリ資源を節約して、いろいろなステータスに対応することができる。
【０１１５】
さらに、データ抽出処理では、同じデータ項目については精度ポイントをもとに最高の精度のデータが選択される一方、この精度ポイントは、精度ポイントルールに基づいて独立して更新されるので、常に精度の高いデータを自動的に抽出して処理を行うことができる。
【０１１６】
また、ステータスに関連付けて、送信時点の精度ポイントを一緒に送信することによって、制御中継装置などのデータ中継処理での停滞時間に応じて精度ポイントが低くなるので、受信側では、その精度ポイントにより、同一データ項目について他の経路で取得したデータとの精度評価を正確に行うことができ、既に陳腐化したデータを排除することができる。
【０１１７】
本発明は、上述の実施形態に限定されること無く、その要旨を逸脱しない範囲で種々変更し、また各実施の形態に記載した手段を任意に組み合わせて実施することができる。たとえば、制御所のデータ管理システムに中継処理手段に相当する送信機能を設け、給電ネットワークに接続して中央給電指令所のデータ管理システムへデータを送信することもできる。また、図２１に示すように電気所の情報集配信装置９４を制御用ネットワーク３を介して制御所のデータ管理システム１ａと接続し、当該電気所の電力量等のデータも取得するようにしても良い。
【０１１８】
なお、本実施の形態では、電力系統の監視システムとして使用する場合を例に説明したが、その他のプラント監視や一般的な業務管理にも適用できることは明らかである。
【図面の簡単な説明】
【０１１９】
【図１】第１の実施形態にかかるデータ管理システム１のデータの表示例を示した図である。
【図２】第１の実施形態にかかるデータ管理システム１におけるステータスの推移例を示した図である。
【図３】第１の実施形態にかかるデータ管理システム１における機能ブロック図である。
【図４】図３のデータ記録手段１２３の処理手順を示すフローチャートである。
【図５】第１の実施形態にかかるデータ管理システム１の記憶部１３が備える実績記録ＤＢ１３１の構成例である。
【図６】図３の推定値演算手段１２４の処理手順を示すフローチャートである。
【図７】第１の実施形態にかかるデータ管理システム１において、状態推定データ（ブランチ、差引き等）を算出する処理を説明する図である。
【図８】第１の実施形態にかかるデータ管理システム１において、代替地点からの受信データに基づいて電力量の推定を行う処理を説明する図である。
【図９】図３の推定ルールテーブル１３６のデータ構成図である。
【図１０】図３のデータ抽出手段１２５の処理手順を示すフローチャートである。
【図１１】第１の実施形態にかかるデータ管理システム１の記憶部１３が備える表示テーブル１３２の構成例である。
【図１２】図３の表示データ演算手段１２６の処理手順を示すフローチャートである。
【図１３】第１の実施形態にかかるデータ管理システム１の記憶部１３が備えるステータス定義テーブル１３３の構成例である。
【図１４】第１の実施形態にかかるデータ管理システム１の記憶部１３が備える精度判定テーブル１３４の構成例である。
【図１５】第１の実施形態のデータ管理システム１を採用した「受発電実績記録」の表示画面の例を示す図である。
【図１６】第２の実施形態にかかるデータ管理システム１の記憶部１３が備える操作者ＤＢ１３５の構成例である。
【図１７】第２の実施形態にかかるデータ管理システム１の記憶部１３が備えるステータス定義テーブル１３３の構成例である。
【図１８】第２の実施形態にかかるデータ管理システム１の記憶部１３の実績記録ＤＢ１３１に備える修正履歴テーブルの構成例である。
【図１９】第２の実施形態にかかるデータ管理システム１の記憶部１３が備える表示テーブル１３２の構成例である。
【図２０】第２の実施形態にかかるデータ管理システム１におけるデータの構成例である。
【図２１】本発明の第３の実施の形態におけるデータ管理システムおよび通信回線を介して接続する電気所装置の機能ブロック図である。
【図２２】図２１の実績記録ＤＢ１３１ａのデータ構成図である。
【図２３】図２１の制御所―制御中継所間で送受信されるデータの伝送フォーマットである。
【図２４】図２１のデータ記録手段１２３ａの処理手順を示すフローチャートである。
【図２５】図２１の精度ポイント管理手段１２８の処理手順を説明する。
【図２６】図２１の精度ルールテーブル１３７のデータ構成図である。
【図２７】図２１の中継処理手段１２９の処理手順を示すフローチャートである。
【符号の説明】
【０１２０】
１  データ管理システム
２  給電ネットワーク
３  制御用ネットワーク
４Ａ，４Ｂ  発電所
６Ａ，６Ｂ  制御装置
７Ａ，７Ｂ  発電機
８Ａ，８Ｂ  変圧器
９  送電系統
１１，４１Ａ，４１Ｂ  送受信部
１２，４２Ａ，４２Ｂ  中央演算処理部
１３，４３Ａ，４３Ｂ  記憶部
１４，４４Ａ，４４Ｂ  入力部
１５，４５Ａ，４５Ｂ  出力部
９１  ＴＣ親局
９２ａ・・・９２ｎ  ＴＣ子局
９３ａ・・・９３ｎ  通信回線
９４  情報集配信装置
１２１，４２１Ａ，４２１Ｂ  送受信処理手段
１２２，４２２Ａ，４２２Ｂ  入出力処理手段
１２３，１２３ａ，１２３ｂ  データ記録手段
１２４  推定値演算手段
１２５  データ抽出手段
１２６  表示データ演算手段
１２７  精度判定手段
１２８  精度ポイント管理手段
１２９  中継処理手段
１３１，１３１ａ，１３１ｂ  実績記録ＤＢ
１３２  表示テーブル
１３３  ステータス定義テーブル
１３４  精度判定テーブル
１３５  操作者ＤＢ
１３６  推定ルールテーブル
１３７  精度ルールテーブル
４２３Ａ，４２３Ｂ  データ処理手段
【図１】
2010033306.tif 000003
【図２】
2010033306.tif 000004
【図３】
2010033306.tif 000005
【図４】
2010033306.tif 000006
【図５】
2010033306.tif 000007
【図６】
2010033306.tif 000008
【図７】
2010033306.tif 000009
【図８】
2010033306.tif 000010
【図９】
2010033306.tif 000011
【図１０】
2010033306.tif 000012
【図１１】
2010033306.tif 000013
【図１２】
2010033306.tif 000014
【図１３】
2010033306.tif 000015
【図１４】
2010033306.tif 000016
【図１６】
2010033306.tif 000017
【図１７】
2010033306.tif 000018
【図１８】
2010033306.tif 000019
【図１９】
2010033306.tif 000020
【図２０】
2010033306.tif 000021
【図２１】
2010033306.tif 000022
【図２２】
2010033306.tif 000023
【図２３】
2010033306.tif 000024
【図２４】
2010033306.tif 000025
【図２５】
2010033306.tif 000026
【図２６】
2010033306.tif 000027
【図２７】
2010033306.tif 000028
【図１５】
2010033306.tif 000029